(57)【要約】【課題】メダル投入口に連通する内方のメダル通路を閉鎖したメダル受付拒否状態でメダルが投入されても、そのメダルをメダル通路に滞留させることなく確実に返却し、しかもメダル通路に対する不正行為を的確に検知して不正を防止することができる投入メダル選別装置及び遊技機を提供することを目的とする。【解決手段】メダル通路の途中に該メダル通路から分岐してメダル排除用に隣設されるメダル排除通路を設け、駆動手段のＯＮ／ＯＦＦに連動させて、前記メダル通路とメダル排除通路との一方を開口し、他方を閉鎖して通路を切換える。【選択図】図７
2008148728.tif 000002
【特許請求の範囲】
【請求項１】
立姿で対向する基板と開閉板との対向面間に、メダルを自重により縦方向から横方向へと転動させて通過させるＬ形状のメダル通路と、前記開閉板を回動させて前記基板と開閉板との対向面間を開閉させる駆動手段とを有し、前記駆動手段の駆動に基づいて、前記メダル通路を通過する適正なメダルを受入れ、不適正なメダルを通過途中で排除する投入メダル選別装置であって、
前記メダル通路の途中に該メダル通路から分岐してメダル排除用に隣設されるメダル排除通路と、
前記駆動手段の駆動とその駆動停止とに連動させて、前記メダル通路とメダル排除通路との何れか一方を開口し、他方を閉鎖する通路切換手段と、
を備えた投入メダル選別装置。
【請求項２】
立姿で対向する基板と開閉板との対向面間に、メダルを自重により縦方向から横方向へと転動させて通過させるＬ形状のメダル通路と、前記開閉板を回動させて前記基板と開閉板との対向面間を開閉させる駆動手段とを有し、前記駆動手段の駆動に基づいて、前記メダル通路を通過する適正なメダルを受入れ、不適正なメダルを通過途中で排除する投入メダル選別装置であって、
前記基板に回動自由に軸支され、該軸支部を回動支点に下部側が片開き式に開閉されて上側に配置される上開閉板と、
前記上開閉板に回動自由に軸支され、該軸支部を回動支点に下部側が片開き式に開閉されて下側に配置される下開閉板と、
前記下開閉板に開口され、前記メダル通路を通過する小径のメダル類をメダル通路方向と直交する横方向より排除させる横排除口と、
前記駆動手段の駆動とその駆動停止との一方に連動させて、前記下開閉板を開操作させたとき、前記基板と下開閉板との下部対向面間を開放させてメダルを下方より排除する下方排除手段と、
前記メダル通路の途中に該メダル通路から分岐してメダル排除用に隣設されるメダル排除通路と、
前記駆動手段の駆動とその駆動停止とに連動させて、前記メダル通路とメダル排除通路との何れか一方を開口し、他方を閉鎖する通路切換手段と、
を備えた投入メダル選別装置。
【請求項３】
前記メダル排除通路は、前記メダル通路の縦方向の通路より分岐させてなる
請求項１または２に記載の投入メダル選別装置。
【請求項４】
前記通路切換手段は、前記メダル通路とメダル排除通路との何れか一方を開口すると同時に、他方を閉鎖させる単一のフラッパで構成した
請求項１、２または３に記載の投入メダル選別装置。
【請求項５】
前記駆動手段は、ソレノイドの駆動に基づいて回動する回動部材を介して前記下開閉板を回動させ、この下開閉板の回動に連動して前記フラッパを回動させる
請求項４に記載の投入メダル選別装置。
【請求項６】
前記下開閉板の開閉と前記フラッパの開閉との両開閉動作を単一のセンサで検知する検知手段を備えた
請求項４または５に記載の投入メダル選別装置。
【請求項７】
請求項１〜６の何れか１つに記載の投入メダル選別装置を搭載してなる遊技機。
【発明の詳細な説明】
【技術分野】
【０００１】
この発明は、例えばスロットマシンなどの遊技機に投入されたメダルの選別を行う投入メダル選別装置に関し、さらに詳しくは排除すべきメダルがメダル通路内に滞留するのを防止する投入メダル選別装置及び遊技機に関する。
【背景技術】
【０００２】
従来、投入メダル選別装置（メダルセレクタ）はスロットマシンのメダル投入口より投入されたメダルを、メダルの大きさなどから適正なメダルと不適正なメダルとに選別し、適正なメダルは内部に取込み、不適正なメダルや所定枚数を越えて投入されたメダル、すなわち余剰メダルはメダル通路より排除して返却口に返却している。
【０００３】
一般に、この種のメダルセレクタには複数のメダル検知センサが備えられており、各メダル検知センサのセンサ出力時間、位相差、出力順位を監視することによりメダルの有無や進行方向等を検知している。そして、各メダル検知センサの検知信号が正常と判断した場合に、制御部は正常なメダルが通過したと判断してメダルが通過するごとにメダルの通過枚数を１枚ずつ加算して計数している。
【０００４】
ところで、メダル投入口にメダルを投入することなく、不正行為により内部のメダル検知センサを誤動作させて、メダルの計数を不正に増加させる所謂「ゴト」行為が問題になっている。特に、発光ダイオード（ＬＥＤ）等の発光体を用いた特殊な不正器具をメダル投入口から挿入し、その挿入させた不正器具の発光体をメダル通路内で点滅させることによって、メダル検知センサを誤動作させるという光を利用した不正方法が問題になっている。
【０００５】
このような問題を解決する手段として、遊技機の円板体導入通路(メダル通路)を開閉するシャッター部材を内部に備え、このシャッター部材により不正器具の挿入を防止する不正対策を施した遊技機が知られている(例えば特許文献１参照)。
【０００６】
しかしながら、シャッター部材をメダル投入口に連通する内方の円板体導入通路内に突出させて、該円板体導入通路を閉鎖する方法では、円板体導入通路がシャッター部材により閉鎖状態になっていることを遊技者が気づかずに誤ってメダルを投入した場合、投入されたメダルはメダル検知センサにて計数されず、該メダルはシャッター部材により通過規制されて、円板体導入通路内に滞留してしまう。この滞留されたメダルは遊技者へ返却することができず、さらに滞留されたメダルは、シャッター部材を円板体導入通路から退避させると、該円板体導入通路が開放されて遊技者の意思にかかわらず、メダルは自動的に円板体導入通路の内部に取り込まれてしまう。
【０００７】
このようにシャッター部材で円板体導入通路を開閉する方法では、投入されたメダルが円板体導入通路内で滞留されたまま有効にカウントされなかったり、遊技者が意図しない状態でメダルがカウントされて取り込まれたり（メダル飲込み）することがあり、遊技者の嗜好を低下させてしまう問題があった。
【０００８】
【特許文献１】特開２００５-３０４９０３号
【発明の開示】
【発明が解決しようとする課題】
【０００９】
そこでこの発明は、メダル投入口に連通する内方のメダル通路を閉鎖したメダル受付拒否状態でメダルが投入されても、そのメダルをメダル通路に滞留させることなく確実に返却し、しかもメダル通路に対する不正行為を的確に検知して不正を防止することができる投入メダル選別装置及び遊技機を提供することを目的とする。
【課題を解決するための手段】
【００１０】
この発明は、立姿で対向する基板と開閉板との対向面間に、メダルを自重により縦方向から横方向へと転動させて通過させるＬ形状のメダル通路と、前記開閉板を回動させて前記基板と開閉板との対向面間を開閉させる駆動手段とを有し、前記駆動手段の駆動に基づいて、前記メダル通路を通過する適正なメダルを受入れ、不適正なメダルを通過途中で排除する投入メダル選別装置であって、前記メダル通路の途中に該メダル通路から分岐してメダル排除用に隣設されるメダル排除通路と、前記駆動手段の駆動とその駆動停止とに連動させて、前記メダル通路とメダル排除通路との何れか一方を開口し、他方を閉鎖する通路切換手段とを備えたことを特徴とする。
【００１１】
前記メダル通路は、開閉板の開閉によってメダル通路を通過するメダルを取込処理と返却処理とに振分けるものであって、開閉板を閉じると、該開閉板と対向する基板との間に、メダルを立姿で転動させる縦長の通路空間を形成することができる。これに対し、開閉板を開けると、メダル通路を形成している基板と開閉板との対向面間が離れてメダルを転動させていた通路空間が開放されて、メダルは自重によりメダル通路から真下に落下して排除される。
【００１２】
そして、メダルの受付が許可されているメダル受付許可状態では、通路切換手段によってメダル通路を開口し、メダル排除通路を閉鎖する。これにより、投入されたメダルは一方に開口されているメダル通路を通過して内部に取込まれる。これに対し、メダルの受付が拒否されてメダルを返却するメダル受付拒否状態では、通路切換手段によってメダル排除通路を開口し、メダル通路を閉鎖する。これにより、投入されたメダルは他方に開口されているメダル排除通路を通過して排除される。
【００１３】
よって、メダル受付拒否状態の場合では、遊技者がメダルを誤ってメダル投入口に投入しても、メダルを返却させることができるため、メダル通路内にメダルが滞留されることがない。また、メダル受付拒否状態では、通路切換手段が内部のメダル通路を閉鎖するため、メダル投入口からメダル通路に不正器具を挿入するような不正行為も確実に防止できる。
【００１４】
またこの発明は、立姿で対向する基板と開閉板との対向面間に、メダルを自重により縦方向から横方向へと転動させて通過させるＬ形状のメダル通路と、前記開閉板を回動させて前記基板と開閉板との対向面間を開閉させる駆動手段とを有し、前記駆動手段の駆動に基づいて、前記メダル通路を通過する適正なメダルを受入れ、不適正なメダルを通過途中で排除する投入メダル選別装置であって、前記基板に回動自由に軸支され、該軸支部を回動支点に下部側が片開き式に開閉されて上側に配置される上開閉板と、前記上開閉板に回動自由に軸支され、該軸支部を回動支点に下部側が片開き式に開閉されて下側に配置される下開閉板と、前記下開閉板に開口され、前記メダル通路を通過する小径のメダル類をメダル通路方向と直交する横方向より排除させる横排除口と、前記駆動手段の駆動とその駆動停止との一方に連動させて、前記下開閉板を開操作させたとき、前記基板と下開閉板との下部対向面間を開放させてメダルを下方より排除する下方排除手段と、前記メダル通路の途中に該メダル通路から分岐してメダル排除用に隣設されるメダル排除通路と、前記駆動手段の駆動とその駆動停止とに連動させて、前記メダル通路とメダル排除通路との何れか一方を開口し、他方を閉鎖する通路切換手段とを備えたことを特徴とする。
【００１５】
前記下開閉板は上開閉板を回動支点とする独立した開閉機能を持たせることによって、該下開閉板の開操作時にメダル通路を構成している対向面間を開放させることができる。そして、メダルの受付けが許可されているメダル受付許可状態と、メダルの受付けが許可されていないメダル受付拒否状態とに応じて通路切換手段がメダル通路とメダル排除通路とを開閉して切換えることができる。よって、メダル受付拒否状態の場合にメダルが投入されても、メダルを返却させることができる。このため、メダル通路内にメダルが滞留されることがなくなる。また、メダル受付拒否状態では、通路切換手段が内部のメダル通路を閉鎖するため、メダル投入口からメダル通路に不正器具を挿入するような不正行為も確実に防止できる。
【００１６】
この発明の態様として、前記メダル排除通路は、前記メダル通路の縦方向の通路より分岐させて構成することができる。  
前記メダル排除通路を縦方向に設ければ、排除されるメダルは略真下に落下してメダルを直ちに排除させることができる。また、メダル排除通路は縦方向の開口空間の通路を設けるだけでよいため、メダル排除通路をメダル通路の縦方向に沿わせて簡単に構成できる。
【００１７】
この発明の態様として、前記通路切換手段は、前記メダル通路とメダル排除通路との一方を開口すると同時に、他方を閉鎖させる単一のフラッパで構成することができる。  
前記通路切換手段は、例えば平板状のフラッパを回動させて、該フラッパが隣設する両通路の一方の開口面を開口したとき、他方の開口面をフラッパが閉鎖するように構成すればよく、これにより両通路を同時に切換えることができる。また、単一のフラッパを共通の遮蔽部材として利用できるため、部品点数の削減及び配置スペースの削減が図れ、ひいては装置全体の小型化が図れる。
【００１８】
この発明の態様として、前記駆動手段は、ソレノイドの駆動に基づいて回動する回動部材を介して前記下開閉板を回動させ、この下開閉板の回動に連動して前記フラッパを回動させて構成することができる。  
前記駆動手段は、例えば駆動源をソレノイドで構成し、該ソレノイドのＯＮ・ＯＦＦに連動させて下開閉板とフラッパとをそれぞれ略同時に開閉操作することができる。また、開閉板とフラッパとの回動方向を同じ回動方向に設定させれば、ソレノイドのＯＮ・ＯＦＦに容易に連動させることができる。
【００１９】
この発明の態様として、前記開閉板の開閉と前記フラッパの開閉との両開閉動作を単一のセンサで検知する検知手段を備えて構成することができる。
【００２０】
前記検知手段は開閉板とフラッパが回動したとき、通路空間で透光と遮光を光電検知する光電検知センサで構成でき、単一のセンサで開閉板の開閉状態とフラッパの開閉状態とを共通して効率よく検知でき、該センサの部品点数を削減できる。
【００２１】
また、不正行為の検知手段として、メダル通路をフラッパで閉鎖したにもかかわらず、フラッパに設けたセンサ片を遮光していないという検知信号が継続すれば異常と判定する。例えば、メダル投入口から不正器具が挿入された場合、メダル通路にはメダルが滞留していないので、この検知信号があれば異常と判断でき、不正器具が挿入されたことを検出できる。従って、より高いレベルのセキュリティを実現できる。
【００２２】
このように構成された投入メダル選別装置を搭載する遊技機を用いれば、投入されたメダルの滞留を解消し、またメダル通路内への不正器具の挿入を防止できる不正対策に優れた遊技機として運用することができる。
【発明の効果】
【００２３】
この発明によると、メダル通路の閉鎖後に投入されたメダルはメダル排除通路より排除させることができるので、メダル通路でのメダルの滞留は防止される。また、メダルの滞留がなくなることで、メダルの滞留防止、飲込み防止、不正防止、メダル詰り防止などのメダルを効率よく処理することができ、ことに不正対策に優れ、高セキュリティを確保できる。
【実施例】
【００２４】
この発明の一実施例を以下図面に基づいて説明する。  
図面は遊技機の一例として遊技ホールに設置されるスロットマシンを示し、図１はスロットマシンを示す外観斜視図である。このスロットマシン１１は接客面としての前面上部にパネル１２とリール部１３を有し、前面中央の幅方向に３個の並列するストップボタン１４を有し、その左側にスタートレバー１５と掛け数設定ボタン１６を、右側に返却ボタン１７と図示しない精算ボタンとメダルＭを１枚ずつ投入するための投入口１８とを有し、これらの前面下部に下皿１９を有している。
【００２５】
そして、遊技者がスロットマシン１１を遊技利用するときに、前記投入口１８にメダルＭが１枚ずつ投入される。投入されたメダルＭは内部で選別され、有効と選別された適正なメダルＭは内部に取込まれ、不適正と選別されたメダル類や所定枚数を越えて投入された余剰メダルはメダル返却通路(図２参照)２６を介して下皿１９へと返却させるメダル選別機能を有している。また、遊技者が遊技を中止するために図示しない清算ボタンを押下操作した場合もメダルＭは下皿１９へと返却される。
【００２６】
図２はスロットマシン１１の前面扉１１ａを片開き式に開口した扉の内部構造を示す斜視図である。この開口されたスロットマシン本体１１ｂ側には、上部に制御部１１ｃを設置し、中央部に外周面の絵柄の位置を回転・停止させて遊技利用を行う３列のリール部１３を設置し、下部の中央にメダルの取込み、及び払い出し用のメダル払出装置２１を設置し、その左側に電源装置２２を設置し、右側にオーバフロータンク２３を設置している。前記制御部１１ｃはメダルセレクタ２５の信号を処理し、またスロットマシン全体を制御する。
【００２７】
一方、前面扉１１ａ側には、内面上部より下部にかけてリールカバー２４と、メダルの適否を選別するメダル選別装置(メダルセレクタ)２５と、メダル返却通路２６と、返却口２７とをこの順に有している。そして、投入口１８に投入されたメダルＭは一旦メダルセレクタ２５に導かれ、ここで選別された後、受付許可されたメダルはメダルセレクタ２５の出口に接続されているメダル搬送通路２５ａを介して前記メダル払出装置２１の上部に備えられているメダルホッパ２１ａに受入れられる。これに対し、メダルセレクタ２５で受付拒否された排除メダルは、メダル返却通路２６を介して下皿１９へと返却される。
【００２８】
次に、メダルセレクタ２５の構成について説明する。図３はメダルセレクタを正面（表面）側から見た外観斜視図、図４はメダルセレクタを背面（裏面）側から見た外観斜視図、図５はメダルセレクタを正面側から見た要部分解斜視図である。
【００２９】
このメダルセレクタ２５は、立姿のメダルを排除し易いように下部側を垂直面に対し、メダルＭが基板２８側から開閉板２９側に倒れる方向に若干傾斜させてなる基板２８と、これに対向する開閉板２９とから構成される。前記基板２８は起立状態の正面が正方形状を有し、この略正方形状の内面に、メダルを搬送ガイドする通路の片面が形成され、外面にメダルを選別動作させるための各部材が取付けられている。
【００３０】
図６はメダルセレクタを背面側から見た基板と開閉板との対向状態を示す斜視図、図７は開閉板の内面を右寄り側から見た斜視図、図８は開閉板の内面を左寄り側から見た斜視図、図９は開閉板の要部分解斜視図である。
【００３１】
前記開閉板２９は、基板２８の正方形状に対応して上下に分割された上開閉板Ｐ１と下開閉板Ｐ２とからなり、上開閉板Ｐ１は基板２８の上部に設けられる軸受部３０に該上開閉板Ｐ１の支軸３１が回動自由に軸支され、該支軸３１を回動支点に基板２８と平面対向する方向に該上開閉板Ｐ１の下部側が片開き式に開閉許容されて上側に配置されている。また、下開閉板Ｐ２は上開閉板Ｐ１の軸受部３２に該下開閉板Ｐ２の支軸３３が回動自由に軸支され、該支軸３３を回動支点に基板２８と平面対向する方向に該下開閉板Ｐ２の下部側が片開き式に開閉許容されて下側に配置されている（図５参照）。
【００３２】
このうち、上開閉板Ｐ１は支軸３１の部分に巻回して備えられたコイルバネ３４により該上開閉板Ｐ１を常時基板２８側に付勢している。一方、下開閉板Ｐ２は上開閉板Ｐ１に軸支されて吊支状態にある。これら基板２８と、上下の開閉板Ｐ１，Ｐ２との対向面間で後述するメダル通路３５及びメダル滞留防止機構６１の主要部を形成している。
【００３３】
上述のメダル通路３５は、図５にも示すように、投入口１８に接続されて上方に開口する入口３６と下方の出口３７との間を結ぶＬ形状に形成され、入口３６から下方に延びる縦辺部Ｌ１と、斜め下方に延びて出口３７に至る横辺部Ｌ２と、これら両辺部Ｌ１，Ｌ２を滑らかな湾曲状に接続する湾曲部Ｌ３とから構成される。そして、ここを通過するメダルＭは縦辺部Ｌ１を自由落下し、湾曲部Ｌ３から横辺部Ｌ２にかけて転動する動きに変化してメダル通路３５を流下する。
【００３４】
また、前記下開閉板Ｐ２には、図３に示すように、メダル通路３５と対向する部位に、小径のメダル類を排除させる横排除口３９を開口している。これにより、メダル通路３５を通過する不適な小径のメダル類をメダル通路方向と直交する横方向より排除させることができる。また、下開閉板Ｐ２の開操作時には、基板２８と該下開閉板Ｐ２との対向面間が開いてメダル落下用の下排除口４０(図１２参照)が開口される。
【００３５】
前記メダル通路３５の一側面となる基板２８の内面側には、立姿で転動するメダルＭの上縁部をガイドする逆Ｌ形ガイド部４１と、このメダルＭの一側面に平面対応してガイドする平面ガイド部４２とを有している。これと対向して、メダル通路３５の他側面となる下開閉板Ｐ２側には、前記逆Ｌ形ガイド部４１と後述する上縁部ガイド板４７との対向面間でメダルの上縁部を凹状にガイドする上ガイド部４３と、前記平面ガイド部４２との対向面間でメダルの下縁部を凹状にガイドする下ガイド部４４とを有している（図１１Ｃ参照）。
【００３６】
また、前記横辺部Ｌ２の上流側の底面は、縦辺部Ｌ１から横辺部Ｌ２へとメダルが勢いよく降下する高速流下領域であり、横辺部Ｌ２の下流側の底面は、メダルの流下速度が比較的安定した流下速度の領域となる。よって、下開閉板Ｐ２を開操作させてメダルを排除させる場合に、横辺部Ｌ２の上流側ではメダルの高速流下に伴いメダル詰りを発生させる要素が生じる。このようなことを考慮して横辺部Ｌ２の上流側の底面は常に定位置に存在する基板２８側に形成しておくのが適している。従って、メダル通路３５の底面は、横辺部Ｌ２の底面を上流側と下流側とに分け、上流側底板４５を基板２８側に有し、下流側底板４６を下開閉板Ｐ２側に有して、メダルを落下させて排除する場合にメダル詰りがないようにしている。
【００３７】
そして、下開閉板Ｐ２を閉じると、該下開閉板Ｐ２と対向する基板２８との対向面間に、メダルＭを立姿で転動させる縦長の通路空間としてのメダル通路３５が形成される。さらに、この縦長の通路空間は上下に凹状の上ガイド部４３と下ガイド部４４とが形成される。
【００３８】
これに対し、下開閉板Ｐ２を開けると、上ガイド部４３と下ガイド部４４が同時に開放される。これにより、下ガイド部４４を形成していた凹状部分の対向面間が離れてメダルを転動させていた底面が開放され、メダルＭは自重によりメダル通路３５から下方に落下して排除される。
【００３９】
さらに、上ガイド部４３は、横辺部Ｌ２の上流側から下流側にかけて長く設けられた基板２８の逆Ｌ形ガイド部４１と、この逆Ｌ形ガイド部４１の開放面側に対向して下開閉板Ｐ２側に設けられる平面的な上縁部ガイド板４７（図６参照）とにより凹状の上ガイド部４３が構成される。この上ガイド部４３によってメダルＭの上縁部を搬送方向にガイドする。また、メダル通路３５の上部側は横排除口３９の方向に傾斜しているため、ここを通過するメダルが上縁部ガイド板４７に少し寄りかかって通過することになる。
【００４０】
これに対し、下ガイド部４４は、上流側底板４５（図５参照）と下流側底板４６（図６参照）との両底板４５，４６を凹状の底面とし、両側を基板２８と下開閉板Ｐ２との互いの内面を対向させたときにメダルＭの下縁部をガイドする凹状の下ガイド部４４が形成される。この下ガイド部４４によってメダルＭの下縁部を通路方向にガイドする。
【００４１】
このようにメダル通路３５は、メダルを落下させて下方より排除する場合に、上ガイド部４３と下ガイド部４４とが同時に開放されるため、排除メダルは瞬時に自由状態となり、そのまま落下して下排除口４０から排除されることになる。このほか、メダル通路３５の内面は複数条のリブ３５ａを流下方向に平行させて形成してメダルＭとの接触抵抗を少なくし、メダルを円滑に流下させる。
【００４２】
上述の基板２８の裏側には、図４に示すように、横長のレバー状に設けられたメダル排出部材としてのブロッカ４８が備えられている。このブロッカ４８は基端部のブロッカ軸４８ｂが基板下部の軸受部４９に回動自由に軸支され、この軸支部を回動支点に先端部がメダルの流下を規制するメダルブロック部４８ａとして、メダル通路３５の下流側に開口されたブロック開口部５０から該メダル通路３５に出没自由に臨ませている。また、このブロッカ４８は基端部に設けられたブロッカスプリング５１によって先端部のメダルブロック部４８ａを常時メダル通路３５側に付勢している。このため、メダルブロック部４８ａをメダル通路３５に突出させた場合は、該メダルブロック部４８ａがメダル通路３５を閉鎖してメダルＭの通過を規制することができる。
【００４３】
さらに、ブロッカ４８には開閉ガイド突起５２(図５参照)を一体に付設している。この開閉ガイド突起５２は、ブロッカ４８の下部に垂設されて一体化し、前記メダルブロック部４８ａと一体に動いて、前記メダル通路３５の下流側底面より下方の基板２８の下部に開口されている下窓５３から下開閉板Ｐ２側に向けて出没自由に臨ませている。そして、下開閉板Ｐ２が開操作されたとき、該開閉ガイド突起５２がブロッカスプリング５１に付勢されて基板２８側から下開閉板Ｐ２側に突出して下開閉板Ｐ２の開状態を補助的に確保するようにしている。
【００４４】
前記ブロッカ４８は後述するソレノイド５４の駆動力を受けて回動し、このブロッカ４８の回動時に、前記メダルブロック部４８ａと開閉ガイド突起５２が同期して出没動作する。よって、このブロッカ４８の動きはソレノイド５４を駆動して開操作される前記下開閉板Ｐ２の開動作に連動して突出する。
【００４５】
さらに、ブロッカ４８はメダルブロック部４８ａを素早く突出させてメダルを確実に通過規制するために該メダルブロック部４８ａと回動の中心であるブロッカ軸４８ｂとの距離を極力長く設定する。対して、メダルを通過規制してから下開閉板Ｐ２を開放させてメダルを確実に排除するために開閉ガイド突起５２とブロッカ軸４８ｂとの距離は極力短く設定する。これらはソレノイド５４の吸引力、ブロッカスプリング５１の付勢力等を鑑みて設定する。
【００４６】
また、上述の基板２８の裏側にはソレノイド５４と、ソレノイド５４のＯＮ、ＯＦＦに連動して下開閉板Ｐ２側に進退する可動板５５を設け、この可動板５５の遊端部５５ａを下開閉板Ｐ２の上端部５６に対向させ、ソレノイド５４のＯＮ時に可動板５５の遊端部５５ａで下開閉板Ｐ２の上端部５６を押して下開閉板Ｐ２を回動させる。これにより、下開閉板Ｐ２は、図１１に示すように、支軸３３を回動支点に該下開閉板Ｐ２の下側が基板２８側に押圧付勢され、基板２８と下開閉板Ｐ２との対向面間にメダルを１枚通過させるメダル通路３５が形成される。
【００４７】
この結果、ソレノイド５４のＯＮに伴い下開閉板Ｐ２が回動し、基板２８の平面ガイド部４２を閉じた状態になる。このとき、下開閉板Ｐ２と基板２８の互いの下部が平面対接して基板２８側から突出していた開閉ガイド突起５２を押し戻し、メダルブロック部４８ａと開閉ガイド突起５２とを基板２８の裏面側へと退避させたメダル受付許可状態となる。従って、受付許可されたメダルＭは該メダル通路３５を通過してメダル払出装置２１へと搬送される。メダルＭの上縁部が上縁部ガイド板４７に掛からない小径のメダル類は下開閉板Ｐ２の横排除口３９から排出されて、外部の返却口２７へと返却される。なお、可動板５５の基端部には可動板復帰バネ５５ｂが接続されている。
【００４８】
ソレノイド５４のＯＦＦ時には、図１２に示すように、ソレノイド５４の吸引解除により可動板５５を介して押圧していた下開閉板Ｐ２への押圧力が解除されるため、下開閉板Ｐ２は自重により支軸３３を回動支点に該下開閉板Ｐ２の下側が基板２８より離れる方向に片開き式に回動し、基板２８と下開閉板Ｐ２との対向面間が開放されて、メダル通路３５の下方に下排除口４０が大きく開口される。
【００４９】
また、ソレノイド５４のＯＦＦに連動して開放される下開閉板Ｐ２の開放に伴い、メダルブロック部４８ａはブロック開口部５０よりメダル通路３５の下流側に突出し、該メダルブロック部４８ａによってメダル通路３５はメダルの流下を規制したメダル受付拒否状態となる。また、このとき、メダルブロック部４８ａと一体に進退する開閉ガイド突起５２もブロッカスプリング５１の付勢力によって下開閉板Ｐ２側に突出し、下開閉板Ｐ２を押し、これにより下排除口４０を確実に開口して排除空間を確保している。
【００５０】
ところで、上開閉板Ｐ１は開閉機能を持たせているため、下方に連結されている下開閉板Ｐ２も上開閉板Ｐ１の基板２８を回動支点とする開閉に連動して開閉操作される。従って、上開閉板Ｐ１を開操作させれば、両開閉板Ｐ１，Ｐ２は一体的に開操作されるためメダル通路３５を形成している基板２８との対向面間を大きく開放することができる。よって、基板２８と両開閉板Ｐ１，Ｐ２との対向面間でメダル詰りが発生した場合は、上開閉板Ｐ１を開操作して、この間に詰ったメダルを自重により落下させることができるのでメダル詰りを瞬時に解消することができる。さらに、この上開閉板Ｐ１と対応する基板２８の裏側には支軸５７を介して返却用操作片５８を基板２８に回動自由に軸支されており、返却ボタン１７の押下操作により返却用操作片５８が回動されて基板２８の上窓５９より上開閉板Ｐ１を押して開操作する。一方、下開閉板Ｐ２は制御部１１ｃがメダルを排除する必要があると判断した場合のみソレノイド５４を駆動して該下開閉板Ｐ２を開操作する。また、この下開閉板Ｐ２の開操作により下方が開放されるので上流側底板４５や下流側底板４６に塵埃等が溜まらず、汚れが付き難い構造になる。よって、メダル通路３５は適正な通路状態を維持する。
【００５１】
前記メダル通路３５の横辺部Ｌ２は、該横辺部Ｌ２の上下に形成される上ガイド部４３と下ガイド部４４との上下に平行する平行間隔により適正メダルの上下縁部をガイドして転動させながら通過させる。そして、下開閉板Ｐ２の上ガイド部４３と下ガイド部４４との上下間に、横辺部Ｌ２に沿う大きな略長方形状の横排除口３９を開口している。この横排除口３９を介して不適な小径メダルを通路外に排除する外径寸法による選別を実施し、適正な大きさのメダルのみを通過させて計数するように構成している。この場合、横排除口３９の上下の開口間隔が適正メダルと小径メダルを区別するメダル判別部となっている。
【００５２】
従って、出口３７からはスロットマシン専用に設けられた円板形状を有する適正な大きさのメダルＭのみが受入れられる。この出口３７の直前の基板２８の通路壁には、メダル通路３５の横辺部Ｌ２を通過するメダルＭを検知して計数する第１センサＳ１と第２センサＳ２とを、この通路方向に順に取付けている。
【００５３】
前記両センサＳ１，Ｓ２は投受光してメダルＭの通過を検知する光学式検知センサで構成することができ、メダルＭがメダル通路３５を転動して下流側に移動し、このメダルＭが両センサＳ１，Ｓ２の光軸をこの順に遮ることで、メダルＭの通過を検知する。具体的には、メダルの進行方向を検知すると共に、センサ出力時間、位相差、出力順位などを検知し、さらにメダルの真偽判定と通過したメダル枚数を計数するため、適正なメダルの直径長さより短くなる間隔に２つのセンサＳ１，Ｓ２を配置している。これら２つの両センサＳ１，Ｓ２はユニット化されたメダル計数センサ部Ｓによって基板２８の裏面側に配置されている。
【００５４】
ところで、このメダルセレクタ２５ではメダル通路３５に導かれたメダルＭを効率よく処理することを目的として、内部にメダル通路３５だけでなくメダル滞留防止機構６１を組込んで、メダルの滞留防止、飲込み防止、不正防止、メダル詰り防止などのメダルを効率よく処理する機能を持たせている。このメダルの滞留防止に際しては、メダル通路３５に導かれたメダルＭを内部に取込むか、あるいは返却するかを選択する場合、制御部からの返却指令によって単にメダル通路３５を閉鎖するように構成すると、その後に投入されたメダルＭが該メダル通路３５に滞留することになる。そこで、メダル通路３５を閉鎖すると同時に排除通路を形成することによって滞留メダルの発生を防止するメダル滞留防止機構６１を構築するものである。
【００５５】
次に、メダル滞留防止機構６１の構成について説明する。このメダル滞留防止機構６１は、メダル排除通路６２と、フラッパ６３と、フラッパ押圧レバー６４と、フラッパ位置検知センサＳ３とを備えて構成される。  
前記メダル排除通路６２は、図５に示すように、メダル返却専用通路として設けられ、前記メダル通路３５の縦方向の途中に該メダル通路３５から分岐して隣設されている。また、メダル排除通路６２は入口と出口を上下方向に有する縦通路として上開閉板Ｐ１の外面側に形成されている。この場合、前記メダル排除通路６２を縦方向に設けることで、排除されるメダルの排除方向とメダルの自重が働く方向とが略同じになり、メダルの自重によって直ちに排除させることができる。
【００５６】
具体的には、メダル排除通路６２として上開閉板Ｐ１の外面側に、メダルを１枚通過させる通路幅を有する凹形通路を有し、その凹形通路の外面側を長方板の通路カバー６５で覆っている。これにより、メダル排除通路６２は断面四角形状の通路に形成される。
【００５７】
また、通路カバー６５は例えば透明の樹脂材を用いて凹形通路を覆うことにより、開閉板２９の外面より該メダル排除通路６２内を視認できるようにし、取付けに際しては周囲に形成した各係止突片６６を上開閉板Ｐ１側に切欠き形成した各係止凹部６７に係止させて取付ける。また、一部には弾性係止部６６ａを有し、該弾性係止部６６ａが対応する係止凹部６７ａに弾性的に係止させて通路カバー６５の着脱を容易にしている。さらに、メダル排除通路６２の上開閉板Ｐ１の凹部中間位置には、上開閉板Ｐ１の外面側からメダル通路３５内を視認できるようにした楕円形の開口窓６８を開口している。そして、互いに隣設するメダル排除通路６２とメダル通路３５との一方を有効に他方を無効に設定するための手段として後述するフラッパ６３を用いて切換え操作する。
【００５８】
上述のフラッパ６３は、図７〜図９に示すように、前記メダル通路３５とメダル排除通路６２とが隣設する双方の入口部分に配設され、両側の軸部６９ａ，６９ｂと、振分けガイド板７０と、回動ストッパ片７１と、バネ取付部７２と、センサ片７３と、受圧軸部７４とから構成される。そして、このフラッパ６３によって、メダル通路３５とメダル排除通路６２との何れか一方を開口すると同時に、他方を閉鎖させて両通路３５，６２を切換える機能を持たせている。
【００５９】
このフラッパ６３の構成は横長の平板状を有し、その一端に突出する軸部６９ａ（図７の右側）を上開閉板Ｐ１の一端面に形成した軸支部７５ａに軸支させ、他端に突出する軸部６９ｂ（図８の左側）を上開閉板Ｐ１の中央部に形成した軸支部７５ｂに軸支させて、前記上開閉板Ｐ１及び下開閉板Ｐ２と同じ回動方向に回動自由に設けている。これらの軸部６９ａ，６９ｂ間に通路幅に対応する平板状の振分けガイド板７０が備えられる。
【００６０】
この振分けガイド板７０のメダル通路側にはメダルの流下方向に沿う複数条のリブ３５ａを形成して、前記メダル通路３５の通路面と同様にメダルＭとの接触抵抗を少なくしている。そして、この振分けガイド板７０は両軸部６９ａ，６９ｂを回動支点に両通路３５，６２の入口の中間位置に介在し、垂直状態より若干回動させたとき、隣設するメダル通路３５とメダル排除通路６２との両通路３５，６２の一方の開口面を開口する。この場合、一方の開口面を開口したとき、他方の開口面を該フラッパ６３の振分けガイド板７０が閉鎖する対応位置に配置される。
【００６１】
さらに、振分けガイド板７０の上部には櫛歯状に突出する開閉位置決め用の回動ストッパ片７１を突設しており、これらの回動ストッパ片７１が一側に回動したとき、上開閉板Ｐ１側の内面２９ａに当接して回動規制され、他側に回動したとき、基板２８側の内面２８ａに当接して回動位置が規制される。例えば、図７ではフラッパ６３の回動ストッパ片７１が基板２８側に回動してメダル通路３５を閉じ、メダル排除通路６２を開口した回動状態を示す。対して、図８ではフラッパ６３の回動ストッパ片７１が上開閉板Ｐ１に当接する方向に回動してメダル通路３５を開口し、メダル排除通路６２を閉じた回動状態を示す。
【００６２】
さらに、図９に示すように、フラッパ６３の回動中心となる軸部６９ａ，６９ｂ間を結ぶ水平な軸方向より下側の基板対向面側にはバネ取付部７２を備えており、このバネ取付部７２にコイル状のフラッパスプリング７６の基端部を取付けている。そして、該フラッパスプリング７６の先端部を基板２８の対応面２８ｂに対応させている。従って、このフラッパスプリング７６は基板２８とフラッパ６３との間に圧縮された状態に介在され、下開閉板Ｐ２を開口させた場合に、このフラッパスプリング７６の付勢作用が働いてフラッパ６３を補助的に基板２８側からフラッパ６３側に付勢させて確実にフラッパ６３を回動させ、該フラッパ６３によってメダル通路３５を閉じ、メダル排除通路６２を開口させる。これに対し、ソレノイド５４からの駆動力（後述）が伝達されている状態では、このフラッパスプリング７６の付勢力に抗してフラッパ６３を他側に回動させてメダル通路３５を開口し、メダル排除通路６２を閉じている。
【００６３】
また、前記フラッパスプリング７６と隣接する位置にはセンサ片７３を突設しており、該フラッパ６３の開閉動作に連動してセンサ片７３も一体に回動する。このため、センサ片７３と対向する基板２８側に配設したフラッパ位置検知センサＳ３によってセンサ片７３の回動位置を検知することができ、フラッパ位置検知センサＳ３から出力されたセンサ信号により、フラッパ６３の開閉状態を検知することができる。
【００６４】
例えば、図１１(Ｃ)にも示すように、フラッパ６３のセンサ片７３がフラッパ位置検知センサＳ３のスリット間に介入していない状態では、フラッパ６３がメダル通路３５を開口し、メダル排除通路６２を閉じた状態であると検知できる。対して、図１２(Ｃ)にも示すように、フラッパ６３のセンサ片７３がフラッパ位置検知センサＳ３のスリット間に介入した状態では、フラッパ６３がメダル通路３５を閉じ、メダル排除通路６２を開口した状態であると検知できる。このほか、フラッパ位置検知センサＳ３はフラッパ６３の回動位置の検知だけでなく、下開閉板Ｐ２の回動に伴う開閉を共通して検知できるのでフラッパ６３と下開閉板Ｐ２との双方を効率よく検知でき、それゆえセンサの部品点数を削減できる。
【００６５】
さらに、フラッパ６３の他端部には軸方向に補強部７４ａを介して延設させてなる受圧軸部７４を突設している。この受圧軸部７４は回動中心となる軸部６９a,６９ｂ間より上部に位置して後述するフラッパ押圧レバー６４の押圧力を受けることに基づいてフラッパ６３は一方（メダル通路３５を開方向）に回動し、この押圧力と、押圧解除とによってフラッパ６３は回動方向が切換えられる。
【００６６】
上述のフラッパ押圧レバー６４は、下開閉板Ｐ２の上部に、前記フラッパ６３の軸支方向と同方向の軸支部７７を設け、この水平方向の軸支部７７に軸支されたレバー軸７８上に該フラッパ押圧レバー６４が回動自由に軸支されている。さらに、レバースプリング７９によって該フラッパ押圧レバー６４を開閉板２９側に付勢させて起立状態に付勢支持している。そして、この起立したフラッパ押圧レバー６４の回動方向に上述の受圧軸部７４が対向して配設されている。よって、このフラッパ押圧レバー６４はフラッパ６３と同じ回動方向に回動して受圧軸部７４を容易に押圧できるようにしている。
【００６７】
このフラッパ押圧レバー６４の駆動に際しては、前記ソレノイド５４の励磁（ＯＮ）に基づいて回動する可動板５５の遊端部５５ａが下開閉板Ｐ２の上端部５６を押圧して下開閉板Ｐ２を回動させたとき、この下開閉板Ｐ２の上部に配設されているフラッパ押圧レバー６４が一体に回動し、該フラッパ押圧レバー６４が受圧軸部７４を押してフラッパ６３を開閉板２９側に回動させる。対して、ソレノイド５４の励磁解除（ＯＦＦ）に基づいてフラッパ６３はフラッパ押圧レバー６４からの押圧力が解除され、フラッパ押圧レバー６４は元の位置に戻る。そして、フラッパ６３はフラッパスプリング７６の付勢力によって反対側（基板２８側）に回動する。
【００６８】
なお、レバースプリング７９の付勢圧はフラッパスプリング７６の付勢圧より十分に強く設定している。さらに、例え、先にフラッパ６３の回動ストッパ片７１が上開閉板Ｐ１側の内面２９ａに当接して、後から下開閉板Ｐ２が回動して底板４６が基板２８に当接しても、上開閉板Ｐ１側の内面２９ａに当接してからの押圧力をレバースプリング７９で回避（吸収）できるようにしている。
【００６９】
逆に、下開閉板Ｐ２が回動して底板４６が基板に当接して、後からフラッパ６３の回動ストッパ片７１が上開閉板Ｐ１側の内面２９ａに当接しても、下開閉板Ｐ２が回動して底板４６が基板２８に当接してからの押圧力をレバースプリング７９で回避（吸収）できるようにしている。
【００７０】
これにより、駆動力が加わっていない自由状態のときにフラッパ６３はフラッパスプリング７６の付勢圧を受けて回動し、メダル排除通路６２を開位置に維持させる。また、１つのソレノイド５４を共通の駆動源として回動される下開閉板Ｐ２とフラッパ６３は、その回動方向を同じ回動方向に設定している。これにより、ソレノイド５４のＯＮ・ＯＦＦに下開閉板Ｐ２とフラッパ６３の開閉動作を容易に連動させることができる。
【００７１】
このように構成されたメダルセレクタ２５の組立てに際しては、まず、各部品が組み付けられた上開閉板Ｐ１と下開閉板Ｐ２とを上下に対応させ、上開閉板Ｐ１の軸受部３２に下開閉板Ｐ２の支軸３３を挿通させることで上開閉板Ｐ１に下開閉板Ｐ２が吊支状態に取付けられる。続いて、各部品が組み付けられた基板２８の上隅部に小さく開口されている連結孔６０に、上開閉板Ｐ１の軸支部に設けられているコイルバネ３４の中央部に突出形成されている引っ掛け部３４ａを差込んで基板２８の裏面側に引っ掛けることにより、この引っ掛け部３４ａの付勢作用により基板２８と上開閉板Ｐ１とが引寄せられた状態に接合される。
【００７２】
次に、メダルセレクタ２５の処理動作を、図１０〜図１３を参照して説明する。図１０はメダルセレクタの断面位置を示す背面図、図１１(Ａ)はメダル受付許可状態でのソレノイド５４ＯＮに連動するフラッパ押圧レバー６４と受圧軸部７４との対応状態を示し、図１１(Ｂ)はメダル受付許可状態でのソレノイド５４ＯＮに連動するフラッパ６３の位置を示し、図１１(Ｃ)はメダル受付許可状態でのメダル通路３５の閉状態とセンサ片７３を未検知の状態（フラッパ位置検知センサＳ３が透光状態）とを示している。
【００７３】
スロットマシン１１がメダルＭの受付けを許可している制御状態の場合、つまりメダル受付許可状態の場合、該スロットマシン１１の制御部１１ｃはソレノイド５４に電源を供給指令し続けてソレノイド５４の励磁状態（ＯＮ）を維持させている(図１１(Ａ)参照)。このとき、下開閉板Ｐ２はソレノイド５４の励磁作用に連動して閉方向に回動しており、下開閉板Ｐ２を基板２８側に平面的に押し付けてメダル通路３５を形成している(図１１(Ｃ)参照)。
【００７４】
一方、メダル滞留防止機構６１側は下開閉板Ｐ２の回動に連動して、フラッパ押圧レバー６４も一体に回動し、同回動方向に対応する受圧軸部７４を押してフラッパ６３を回動させている(図１１(Ｂ)の矢印方向)。このときのフラッパ６３の振分けガイド板７０がメダル通路３５を開口し、メダル排除通路６２を閉鎖した状態となり、適正なメダルを取込み許可する。
【００７５】
前記メダル通路３５を形成している状態で遊技者が投入口１８にメダルを投入すると、この投入されたメダルＭは真下に対応するメダルセレクタ２５へと導かれ、フラッパ６３によって仕切られたメダル通路３５側にガイドされて流下する。このメダル通路３５内では横辺部Ｌ２を転動して流下する立姿のメダルＭは、その上下がそれぞれ凹状にガイドする上ガイド部４３と下ガイド部４４により該メダルＭの上下の外周縁部分がガイドされ、メダルＭの外径寸法を満たしているか否かの違いにより適正メダルか否かを選別し、適正メダルと選別されたメダルＭは受入れられ、メダル通路３５の下流側に設けられたセンサＳ１，Ｓ２に１枚ずつ検知されて通過枚数が計数される。計数されたメダルＭはメダル搬送通路２５ａを通過してメダルホッパ２１ａへと搬送される。これに対し、小径メダルは受入拒否されて横辺部Ｌ２の流下途中で横倒しされ、その横方向に開口している横排除口３９へと自然に傾倒されて排除される。そして、この横排除口３９から排除されたメダルはメダル返却通路２６を介してスロットマシン１１の下皿１９へと返却される。
【００７６】
図１２(Ａ)はメダル受付拒否状態でのソレノイド５４ＯＦＦに連動するフラッパ押圧レバー６４と受圧軸部７４との対応状態を示し、図１２(Ｂ)はメダル受付拒否状態でのソレノイド５４ＯＦＦに連動するフラッパ６３の位置を示し、図１２(Ｃ)はメダル受付拒否状態でのメダル排除通路６２の開状態とセンサ片７３を検知した状態（フラッパ位置検知センサＳ３を遮光状態）とを示している。
【００７７】
一方、スロットマシン１１の制御部１１ｃがメダルＭの受付けを拒否しているメダル受付拒否状態の場合、その条件は例えばメダルの最大貯留許可枚数(例えば５０枚のクレジット)を越えて投入された場合や、スタートレバー１５が押下されて１ゲームが終了するまでの時間帯に入った場合である。
【００７８】
このようなメダル受付拒否状態の場合、制御部１１ｃはソレノイド５４に電源を供給せず、非励磁状態（ＯＦＦ）にする。このため、下開閉板Ｐ２はソレノイド５４の励磁作用を受けず、自重により開方向に回動すると共に、ブロッカ４８の開閉ガイド突起５２が下開閉板Ｐ２の下部を押して該下開閉板Ｐ２は基板２８と離れる方向に回動し、メダル通路３５が開放されて該メダル通路３５の下方に下排除口４０が形成される。また、ブロッカ４８のメダルブロック部４８ａも回動してメダル通路３５に突出し、ここに導かれたメダルＭの通過を規制して余剰メダル等のメダルＭを確実に下排除口４０より排除動作させる。
【００７９】
一方、メダル滞留防止機構６１側は下開閉板Ｐ２の回動に伴い、フラッパ押圧レバー６４も元の位置（すなわち、フラッパ６３の回動ストッパ片７１が上開閉板Ｐ１側の内面２９ａに当接する位置）に回動復帰し、フラッパ６３の受圧軸部７４から離れることになる。これにより、フラッパ６３はソレノイド５４を駆動源とする押圧力から解放される。一方、フラッパ６３はフラッパスプリング７６の付勢力を受けて回動し、メダル通路３５を閉鎖し、メダル排除通路６２を開口する。従って、メダル通路３５からメダル排除通路６２へと通路が切換えられる。また、フラッパ６３が回動することで、フラッパ６３と一体のセンサ片７３がフラッパ位置検知センサＳ３のスリット間に介入してフラッパ位置検知センサＳ３を遮光状態（センサ片７３を検知状態）にする。
【００８０】
以上の動作によって、投入されたメダルＭはメダル排除通路６２を通り、メダル返却通路２６から返却される。  
前記フラッパ６３の切換えタイミングに際しては、スロットマシン１１の制御部１１ｃが、メダル通路３５を閉鎖する指令（ソレノイド５４の励磁をＯＦＦにする）に対し、フラッパ６３が動作する機械的なタイムラグや制御上の遅れ等により、フラッパ６３の切換えが遅れる可能性がある。例え、フラッパ６３の切換えが遅れ、メダル通路３５を閉鎖するのが遅れても、メダルＭはメダル通路３５を流下するが、下方の下排除口４０より排除されることになる。
【００８１】
よって、メダル受付拒否状態では、誤って投入されたメダルＭがあっても、メダル通路３５に滞留させることなく確実に排除できる。このため、メダル飲込みのおそれも解消される。さらに、フラッパ６３の駆動源と、下開閉板Ｐ２の駆動源とを同一のソレノイド５４を共用させて構築しているため、低コストで省スペース化を図ったメダルセレクタ２５を実現できる。さらに、ソレノイド５４が１つのため、スロットマシン１１の制御も容易になる。
【００８２】
また、小径メダルのようにメダル受付許可状態で排除されたメダルＭと、メダル受付拒否状態で誤って投入されたメダルＭの排除ルートが異なるため、スロットマシン１１におけるメダル受付後のメダル取扱処理を、次のように変えることができる。例えば、小径メダルのようにメダル受付許可状態で排除されたメダルＭの場合は回収し、メダル受付拒否状態で投入されたメダルＭの場合は返却することができる。
【００８３】
次に、このようなメダルセレクタ２５を備えたスロットマシン１１のセキュリティについて説明する。  
このメダルセレクタ２５では、メダル受付拒否状態になると、フラッパ６３によりメダル通路３５が遮蔽されるため、投入口１８からの不正器具の挿入を防止できる。また、メダル受付許可状態の場合に不正器具が挿入された場合でも、メダル受付拒否状態に変化した際に、フラッパ６３が正規の位置まで回動しきれず、このフラッパ６３の動きを検知しているフラッパ位置検知センサＳ３は遮光信号が得られないままとなる。従って、ソレノイド５４をＯＦＦした一定時間（フラッパ６３の動作遅れを考慮した時間、例えば30ｍｓ）後に、フラッパ位置検知センサＳ３が透光状態のままであった場合にはエラーとする制御を追加することで、不正器具の挿入を検出できる。
【００８４】
さらに、メダル受付拒否状態の場合にフラッパ６３を外部から不正行為により回動させてメダル通路３５が開放された場合にも、フラッパ位置検知センサＳ３が透光状態に変化するため異常として検出できる。つまり、メダルの滞留がなくなることで、メダルのないメダル通路３５への不正器具の挿入を的確に検知できる。また、このメダル通路３５に対して返却口２７から不正器具が挿入されるようなことがあっても異常発生として不正行為を検知できる。
【００８５】
さらに、メダル滞留防止機構６１ではメダル排除通路６２及びフラッパ６３を備えており、前述したような動作をするためメダル受付拒否状態の場合に投入されたメダルＭを確実に排除できる。このため、メダル受付拒否状態では、メダル計数センサ部ＳがメダルＭを検出することはない。従って、メダル受付拒否状態で、メダル計数センサ部Ｓに変化があった場合に、異常と判断することができる。従って、メダルセレクタ２５及びスロットマシン１１は、より高いレベルのセキュリティを実現できる。
【００８６】
次に、メダルセレクタ２５でのメダル詰りの検出について説明する。
図１３(Ａ)はメダル詰り発生状態でのフラッパ押圧レバー６４と受圧軸部７４との対応状態を示し、図１３(Ｂ)はメダル詰り発生状態でのメダルＭとフラッパ６３の位置を示し、図１３(Ｃ)はメダル詰り発生状態でのセンサ片７３を検知したままの状態を示している。
【００８７】
メダル受付拒否状態からメダル受付許可状態に切り替わる直前にメダルＭが投入されると、そのメダルＭの投入タイミングや下開閉板Ｐ２及びフラッパ６３の開閉タイミングによっては、上開閉板Ｐ１とフラッパ６３との間にメダルＭが挟まれて詰まる可能性がある。
【００８８】
前記フラッパ６３の部分でメダル詰りが発生した場合は(図１３(Ｂ)参照)、フラッパ６３が正規の位置（すなわち、フラッパ６３の回動ストッパ片７１が上開閉板Ｐ１側の内面２９ａに当接する位置）まで回動しきれず、フラッパ位置検知センサＳ３が透光状態に変化しない。従って、ソレノイド５４をＯＮした後に、フラッパ位置検知センサＳ３が遮光状態のままであった場合にエラーとする制御を追加することで、メダル詰りを検出できる。
【００８９】
また、以下のような制御を追加することで、メダル詰りの自動解除ができる。まず、制御部１１ｃはソレノイド５４をＯＮした後に、フラッパ位置検知センサＳ３が遮光状態のままであった場合、ソレノイド５４のＯＮ/ＯＦＦを数回繰り返す。その後に、フラッパ位置検知センサＳ３が遮光状態のままである場合にのみ制御部１１ｃはエラーと判断する。
【００９０】
前記のようなメダル詰りであれば、ソレノイド５４をＯＦＦすることによってメダルＭは落下するためメダル詰りは解除される。再度、ソレノイド５４をＯＮしたときには、フラッパ６３は正規の位置まで回動し、フラッパ位置検知センサＳ３は透光状態に変化する。対して、異物が挿入されていた場合や、故障による場合には、ソレノイド５４のＯＮ/ＯＦＦを数回繰り返した後も、フラッパ位置検知センサＳ３が遮光状態のままであるので制御部１１ｃは異物の挿入や故障の発生であると判断できる。このように、メダルの詰りを自動解除できるとともに、メダル詰りと異物の挿入、故障等とに分けて検出できることにより、係員の手を煩わすことが少なくなる。
【００９１】
上述のように、メダル受付拒否状態で投入されたメダルＭをメダル通路内に滞留させることなく確実に返却可能とし、さらに不正器具の挿入による不正を防止することができる。
【００９２】
この発明の構成と、上述の一実施例の構成との対応において、
この発明の投入メダル選別装置は、実施例のメダルセレクタ２５に対応し、
以下同様に、
メダル投入口は、投入口１８に対応し、
通路切換手段は、フラッパ６３とフラッパ押圧レバー６４とに対応し、
下方排除手段は、ソレノイド５４と可動板５５と下開閉板Ｐ２とに対応し、
駆動手段は、ソレノイド５４に対応し、
回動部材は、可動板５５に対応し、
検知手段は、フラッパ位置検知センサＳ３及びセンサ片７３に対応し、
遊技機は、スロットマシン１１に対応するも、この発明は請求項に示される技術思想に基づいて応用することができ、上述の一実施例の構成のみに限定されるものではない。例えば、下開閉板Ｐ２やフラッパ６３及びフラッパ押圧レバー６４を可動させる動作を、回転運動に限らず、直線運動に構成してもよい。
【図面の簡単な説明】
【００９３】
【図１】スロットマシンを示す外観斜視図。
【図２】スロットマシンの前面扉を開けた内部構造を示す斜視図。
【図３】メダルセレクタの表面側の外観斜視図。
【図４】メダルセレクタの裏面側の外観斜視図。
【図５】メダルセレクタの表面側から開閉板を分解した要部分解斜視図。
【図６】メダルセレクタを裏面側から見た基板と開閉板との対向状態を示す斜視図。
【図７】開閉板の内面を右寄り側から見た斜視図。
【図８】開閉板の内面を左寄り側から見た斜視図。
【図９】開閉板の要部分解斜視図。
【図１０】メダルセレクタの裏面側から見た正面図。
【図１１】(Ａ)はメダル受付許可状態における図１０のＡ−Ａ線矢視断面図、(Ｂ)はメダル受付許可状態における図１０のＢ−Ｂ線矢視断面図、(Ｃ)はメダル受付許可状態における図１０のＣ−Ｃ線矢視断面図。
【図１２】(Ａ)はメダル受付拒否状態における図１０のＡ−Ａ線矢視断面図、(Ｂ)はメダル受付拒否状態における図１０のＢ−Ｂ線矢視断面図、(Ｃ)はメダル受付拒否状態における図１０のＣ−Ｃ線矢視断面図。
【図１３】(Ａ)はメダル詰り発生時における図１０のＡ−Ａ線矢視断面図、(Ｂ)はメダル詰り発生時における図１０のＢ−Ｂ線矢視断面図、(Ｃ)はメダル詰り発生時における図１０のＣ−Ｃ線矢視断面図。
【符号の説明】
【００９４】
１１…スロットマシン
１８…投入口
２５…メダルセレクタ
２８…基板
２９…開閉板
Ｐ１…上開閉板
Ｐ２…下開閉板
３５…メダル通路
３９…横排除口
４０…下排除口
５４…ソレノイド
６１…メダル滞留防止機構
６２…メダル排除通路
６３…フラッパ
６４…フラッパ押圧レバー
Ｓ３…フラッパ位置検知センサ
【図１】
2008148728.tif 000003
【図２】
2008148728.tif 000004
【図３】
2008148728.tif 000005
【図４】
2008148728.tif 000006
【図５】
2008148728.tif 000007
【図６】
2008148728.tif 000008
【図７】
2008148728.tif 000009
【図８】
2008148728.tif 000010
【図９】
2008148728.tif 000011
【図１０】
2008148728.tif 000012
【図１１】
2008148728.tif 000013
【図１２】
2008148728.tif 000014
【図１３】
2008148728.tif 000015